(57)【要約】      （修正有）【課題】アダプタ装置を固定プレートに組立性、外観上良好に接地する。【解決手段】ＴＶカード等のコンピュータアダプタが、コンピュータシステムの拡張スロットに差し込まれる回路基板２０と、回路基板に固定される第１の端部と外部の信号伝送コネクタ２１０に連結される第２の端部とを有する信号伝送コネクタソケット２２と、コンピュータシステム及び回路基板に固定可能であり、信号伝送コネクタソケットの第２の端部を露出させるための貫通孔２３１を有する固定プレート２３と、信号伝送コネクタソケットと固定プレートとの間に取り付けられる弾力性のある金属製の導電部材３０とを含んでいる。弾力性のある金属製導電部材は、特定の方向に弾力的に伸縮可能であるように該方向において屈曲した断面を有し、それにより、信号伝送コネクタソケット及び固定プレートの両方に接触して電気接続を達成する。【選択図】図２ｃ
2007165274.tif 000002
【特許請求の範囲】
【請求項１】
コンピュータシステムに使用されるアダプタであって、
前記コンピュータシステムの拡張スロットに差し込まれる回路基板と、
前記回路基板に固定される第１の端部と外部の信号伝送コネクタに連結される第２の端部とを有する信号伝送コネクタソケットと、
前記コンピュータシステム及び前記回路基板に固定可能であり、前記信号伝送コネクタソケットの前記第２の端部を露出させるための貫通孔を有する固定プレートと、
前記信号伝送コネクタソケットと前記固定プレートとの間に取り付けられ、特定の方向に弾力的に伸縮可能であるように該方向において屈曲した断面を有し、それにより、前記信号伝送コネクタソケット及び前記固定プレートと接触して電気接続を達成する、弾力性のある金属製の導電部材とを備えたことを特徴とするアダプタ。
【請求項２】
前記回路基板には前記コンピュータシステムの前記拡張スロットに差し込むためのピンが設けられていることを特徴とする請求項１に記載のアダプタ。
【請求項３】
前記信号伝送コネクタソケットは、チャンネルチューナに配置されて該チャンネルチューナと金属製のハウジングを共有するテレビ信号伝送コネクタであることを特徴とする請求項１に記載のアダプタ。
【請求項４】
前記弾力性のある金属製の導電部材は、前記金属製ハウジング及び前記固定プレートに当接して電気接続を達成することを特徴とする請求項３に記載のアダプタ。
【請求項５】
前記信号伝送コネクタソケットはＡＶターミナルソケットであることを特徴とする請求項１に記載のアダプタ。
【請求項６】
前記弾力性のある金属製の導電部材は、一端が爪フックで前記ＡＶターミナルソケットに連結され、他端が前記固定プレートに当接して、電気接続を達成することを特徴とする請求項５に記載のアダプタ。
【請求項７】
別の２つのＡＶターミナルソケットをさらに備え、前記弾力性のある金属製導電部材は前記各ＡＶターミナルソケットを受けるための３つの貫通孔を有し、前記貫通孔は前記ＡＶターミナルソケットに連結するための爪フック構造を有することを特徴とする請求項６に記載のアダプタ。
【請求項８】
前記弾力性のある金属製導電部材は、Ｕ字状、Ｎ字状、又はＭ字状の屈曲した断面を有することを特徴とする請求項１に記載のアダプタ。
【請求項９】
コンピュータシステムに差し込まれる回路基板と該回路基板に連結される信号伝送コネクタソケットとを含むアダプタ、及び前記コンピュータシステムとともに用いられる、弾力性を有する固定装置であって、
前記コンピュータシステムと前記回路基板とに連結され、前記信号伝送コネクタソケットを露出させるための貫通孔を有する固定プレートと、
前記信号伝送コネクタソケットと前記固定プレートとの間に取り付けられ、特定の方向に弾力的に伸縮可能であるように該方向において屈曲した断面を有し、それにより、前記信号伝送コネクタソケット及び前記固定プレートに当接して電気接続を達成する、弾力性のある金属製の導電部材とを備えたことを特徴とする固定装置。
【請求項１０】
前記信号伝送コネクタソケットが、前記回路基板に配置されたチャンネルチューナと金属製のハウジングを共有するテレビ信号伝送コネクタであるとき、前記弾力性のある金属製導電部材は、前記金属製ハウジングと前記固定プレートとに当接して電気接続を達成することを特徴とする請求項９に記載の固定装置。
【請求項１１】
前記信号伝送コネクタソケットがＡＶターミナルソケットであるとき、前記弾力性のある金属製の導電部材は、一端が爪フックで前記ＡＶターミナルソケットに連結され、他端が前記固定プレートに当接して、電気接続を達成することを特徴とする請求項９に記載の固定装置。
【請求項１２】
別の２つのＡＶターミナルソケットをさらに備え、前記弾力性のある金属製導電部材は前記各ＡＶターミナルソケットを受けるための３つの貫通孔を有し、各貫通孔は前記各ＡＶターミナルソケットに連結するための爪フック構造を有することを特徴とする請求項１１に記載の固定装置。
【請求項１３】
前記弾力性のある金属製導電部材は、Ｕ字状、Ｎ字状、又はＭ字状の屈曲した断面を有することを特徴とする請求項９に記載の固定装置。
【発明の詳細な説明】
【技術分野】
【０００１】
本発明はコンピュータシステムに使用されるアダプタ装置、例えばＴＶカード、に関するものであり、特に、装置の種々の要素を適切に接地するための弾力性のある導電手段を有するアダプタ装置に関する。
【背景技術】
【０００２】
図１は、一般的なＴＶカード１を示す概略図である。該カードには主として２組の入出力端子が設けられており、第１の端子は、チャンネルチューナ１１のテレビ信号伝送コネクタ１１０、いわゆるＲＦコネクタ、であり、第２の端子は、一般に左右音声映像接続のための３つのＡＶ端子で構成されるＡＶターミナルソケットセット１２、いわゆるＲＣＡコネクタ、である。
【０００３】
欧州における３つの主要な環境規約、すなわちＷＥＥＥ、ＲｏＨＳ及びＥＵＰの要件に従うため、アダプタ製造業者は、回路基板に配置されたテレビ信号伝送コネクタ１１０及びＡＶターミナルソケットセット１２を、コンピュータの筐体（図示せず）に連結される固定プレート１３に電気的に接続する必要がある。このように接地することにより、静電放電（ＥＳＤ）保護が達成されるとともに、テレビ信号伝送コネクタ１１０及びＡＶターミナルソケットセット１２を介して伝送される信号からノイズ妨害が低減される。従来は、銅リング、アルミホイル、導電性フォーム、及びスポット溶接材料のみが、導電、接地、ノイズ除去の手段として使われてきた。これらの手段の中、銅製のリングワッシャ１４が最も一般的であり、テレビ信号入出力コネクタ１１０／ＡＶターミナルソケットセット１２と固定プレート１３との間に挿入される。テレビ信号伝送コネクタ１１０／ＡＶターミナルソケットセット１２と固定プレート１３との間の間隙は製品によって異なるため、製造業者は、固定プレート１３とコネクタ１１０及び１２との間に生じ得る様々な間隙に合うように、様々な厚みの銅製リングワッシャを用意する必要がある。従って、在庫材料のために製造業者のコストが増大する。さらに、従来使用されているカドミウム（Ｃｄ）含有量の高い銅製リングワッシャは、ＲｏＨＳの規約を満たさず、欧州連合では環境的に認められない可能性がある。
【０００４】
テレビ信号伝送コネクタ１１０及びＡＶターミナルソケットセット１２の電気接続をアルミホイルシール又は導電性フォームシール（図示せず）で行うと、製品の美観を損ね、それにより製品の価値を下げてしまいかねない。また、アルミホイル又は導電性フォームは接着によって適用されるため、スペースに制限があると、接着が劣化し、その結果、アルミホイル又は導電性フォームの剥れや損傷が生じる可能性がある。さらに、接地特性が接着剤の品質により大きく影響されるため、ノイズ防止性能を管理し難い。
【０００５】
一方、スポット溶接（図示せず）により電気接続を行う方法は、アルミホイルシールに比べ、テレビ信号伝送コネクタ１１０及びＡＶターミナルソケットセット１２とうまく密着する点では優れているが、やはり、製品の美観を損ねてしまう。また、作業が増えるため、製造コストに影響が出る。
【発明の開示】
【発明が解決しようとする課題】
【０００６】
そこで本発明は、コネクタ／ソケットと固定プレートとの間に設ける弾力性のある導電手段であって、組立における高い許容性、良好な導電効果、及び外観における付加価値といった目的を同時に達成する手段を提供する。
【課題を解決するための手段】
【０００７】
本発明は、コンピュータシステムに使用されるアダプタであって、コンピュータシステムの拡張スロットに差し込まれる回路基板と、回路基板に固定される第１の端部と外部の信号伝送コネクタに連結される第２の端部とを有する信号伝送コネクタソケットと、コンピュータシステム及び回路基板に固定可能であり、信号伝送コネクタソケットの第２の端部を露出させるための貫通孔を有する固定プレートと、信号伝送コネクタソケットと固定プレートとの間に取り付けられ、特定の方向に弾力的に伸縮可能であるように該方向において屈曲した断面を有し、それにより、信号伝送コネクタソケット及び固定プレートと接触して電気接続を達成する、弾力性のある金属製の導電部材とを備えたことを特徴とするアダプタに関する。
【０００８】
一実施形態においては、回路基板にはコンピュータシステムの拡張スロットに差し込むためのピンが設けられている。
【０００９】
一実施形態においては、信号伝送コネクタソケットは、チャンネルチューナに配置されて該チャンネルチューナと金属製のハウジングを共有するテレビ信号伝送コネクタである。
【００１０】
一実施形態においては、弾力性のある金属製の導電部材は、金属製ハウジング及び固定プレートに当接して電気接続を達成する。
【００１１】
一実施形態においては、信号伝送コネクタソケットはＡＶターミナルソケットである。
【００１２】
一実施形態においては、弾力性のある金属製の導電部材は、一端が爪フックでＡＶターミナルソケットに連結され、他端が固定プレートに当接して、電気接続を達成する。
【００１３】
一実施形態においては、アダプタは、別の２つのＡＶターミナルソケットをさらに備え、弾力性のある金属製導電部材は各ＡＶターミナルソケットを受けるための３つの貫通孔を有し、貫通孔はＡＶターミナルソケットに連結するための爪フック構造を有する。
【００１４】
一実施形態においては、弾力性のある金属製導電部材は、Ｕ字状、Ｓ字状、又はＭ字状の屈曲した断面を有する。
【００１５】
また、本発明は、アダプタ及びコンピュータシステムとともに用いられる弾力性を有する固定装置に関する。アダプタは、コンピュータシステムに差し込まれる回路基板と、該回路基板に連結される信号伝送コネクタソケットとを含む。弾力性を有する固定装置は、コンピュータシステムと回路基板とに連結され、信号伝送コネクタソケットを部分的に露出させるための貫通孔を有する固定プレートと、信号伝送コネクタソケットと固定プレートとの間に取り付けられ、特定の方向に弾力的に伸縮可能であるように該方向において屈曲した断面を有し、それにより、信号伝送コネクタソケット及び固定プレートに当接して電気接続を達成する、弾力性のある金属製の導電部材とを備える。
【発明を実施するための最良の形態】
【００１６】
本発明は、添付図面を参照した以下の説明によって最も良く理解されるであろう。
【００１７】
図２（ａ）、図２（ｂ）、図２（ｃ）及び図２（ｄ）はそれぞれ本発明の一実施形態によるアダプタ装置を示した概略図である。本実施形態においては、本発明を説明するための例として、ＴＶカードが示されている。また、チャンネルチューナ２１に配置されたテレビ信号伝送コネクタ２１０及び３つのＡＶターミナルソケット２２で構成されるＡＶターミナルソケットセットが、本発明を説明するために例示されている。テレビ信号伝送コネクタ２１０はチャンネルチューナ２１に配置され、チャンネルチューナ２１と金属製のハウジング２１９を共有している。テレビ信号伝送コネクタ２１０及びＡＶターミナルソケットセット２２は回路基板２０に固定され（図２（ａ）及び図２（ｂ）を参照）、回路基板２０はコンピュータシステムの拡張スロット（図示せず）に差し込むためのピン２０１を有している。テレビ信号伝送コネクタ２１０及びＡＶターミナルソケットセット２２は、外部のテレビ信号伝送コネクタ（図示せず）及びＡＶ信号伝送コネクタ（図示せず）に接続するために利用される。回路基板２０は、固定プレート２３（図２（ｃ）及び図２（ｄ）参照）及びねじ（図示せず）を介してコンピュータシステムに固定され、固定プレート２３はテレビ信号伝送コネクタ２１０及びＡＶターミナルソケット２２を露出させ、部分的に突出させるための貫通孔２３１を有している。さらに、方向Ｘに弾力的に伸縮可能であるように方向Ｘにおいて屈曲した断面を有する、弾力性のある金属製の導電部材３０及び３１が設けられている。この弾力性のある金属製導電部材を、伝送コネクタ２１０／ＡＶターミナルソケットセット２２と固定プレート２３との間に取り付けると、組立における許容性及び組立品に対する堅固な支持力が得られ、十分な導電性及びＥＳＤ保護が達成されるとともに、ノイズ妨害が低減される。
【００１８】
図２（ａ）、図２（ｃ）及び図３（ａ）においては、Ｍ字状の断面を有する金属製屈曲片３０が、伝送コネクタ２１０と固定プレート２３とを電気的に接続するための弾力性ある金属製導電部材として用いられている。伝送コネクタ２１０が金属製屈曲片３０全体を貫通できるように、位置合わせされた貫通孔３０１が形成されている。伝送コネクタ２１０を貫通孔３０１及び固定プレート２３に設けた別の貫通孔２３１に通すと、金属製屈曲片３０の両側がそれぞれ固定プレート２３と金属製ハウジング２１９に当接した状態で保持され、それにより、電気伝導が達成され、伝送コネクタ２１０が適切に接地される。
【００１９】
さらに、図２（ｂ）、図２（ｄ）及び図３（ｂ）においては、Ｕ字状の断面を有する金属製屈曲片３１が、ＡＶターミナルソケットセット２２と固定プレート２３とを電気的に接続するための弾力性ある金属製導電部材として用いられている。各ＡＶターミナルソケット２２を通すため、位置合わせされた３組の貫通孔３０２が形成されている。ＡＶターミナルソケットセット２２の周囲ボディは基本的に非導電性材料で形成され、突出する各端子２２０のみが導電部品であるため、金属製屈曲片３１の貫通孔３０２には端子２２０と確実に接触するように爪フック３０２０が設けられている。ＡＶターミナルソケット２２を３組の貫通孔３０２と固定プレート２３に設けた別の３つの貫通孔２３２に通すと、金属製屈曲片３１のもう一方の側が固定プレート２３に当接し、電気接続を達成する。さらに、金属製屈曲片３１によって、回路基板２０に別個に取り付けられた３部品のＡＶターミナルソケットがまとめられ、回路基板２０に安定して配置される。これにより、組立における許容性及び組立品に対する堅固な支持力が得られ、十分な導電性及びＥＳＤ保護が達成されるとともに、ノイズ妨害が低減される。
【００２０】
上記を考慮すると、ＴＶカード及びコンピュータシステムとともに、上述の固定プレート及び弾力性のある金属製導電部材を備えた弾力性固定装置を用いることによって、組立における高い許容性、良好な導電効果、及び外観における付加価値という目的を同時に達成することができる。例えば、信号伝送コネクタソケットと固定プレートとの間に弾力性のある金属製導電部材を取り付けてから回路基板を固定プレートに連結することによって電気接続を行うと、ＴＶカードの組立てを簡単にすることができる。この方法によれば、組立てに要する作業が少なくなり、従来の湾曲リングの問題点である信頼性の低さが克服され、さらに、製造コストが削減される。また、構成部品が単純化され、在庫材料がシンプルになるとともに、信頼性のある高い導電性が得られる。上述した金属製屈曲片はニッケル又はステンレス鋼でめっきされたベリリウム銅合金等で形成される。断面を屈曲したＭ字状又はＵ字状とする代わりに、屈曲したＮ字状（図３（ｃ））等にしても、本発明の目的を達成することができる。本構想は、ＴＶカードに加えて、その他の種類のコンピュータアダプタにも適用可能である。本発明は、付記される請求項の最広義な解釈による趣旨及び範囲内における種々の変更及び同様の配置をも含むものであり、そのような変更及び同様の構造全てを包含する。
【図面の簡単な説明】
【００２１】
【図１】従来のＴＶカードを示した概略図。
【図２ａ】本発明の一実施形態によるＴＶカードを示した概略図。
【図２ｂ】本発明の一実施形態によるＴＶカードを示した概略図。
【図２ｃ】本発明の一実施形態によるＴＶカードを示した概略図。
【図２ｄ】本発明の一実施形態によるＴＶカードを示した概略図。
【図３】（ａ）から（ｃ）は本発明による金属製屈曲片の３つの構造例を示した概略図。
【符号の説明】
【００２２】
２０  回路基板
２１  チャンネルチューナ
２２  ＡＶターミナルソケットセット
２３  固定プレート
３０  金属製屈曲片
３１  金属製屈曲片
２０１  ピン
２１０  テレビ信号伝送コネクタ
２１９  金属製ハウジング
２３１  貫通孔
２３２  貫通孔
３０１  貫通孔
３０２  貫通孔
３０２０  爪フック
【図１】
2007165274.tif 000003
【図２ａ】
2007165274.tif 000004
【図２ｂ】
2007165274.tif 000005
【図２ｃ】
2007165274.tif 000006
【図２ｄ】
2007165274.tif 000007
【図３】
2007165274.tif 000008